(57)【要約】【課題】鼻隠し板への設置に好適なポリカーボネート樹脂製の軒樋支持具を提供する。【解決手段】本発明は、軒樋５を支持する軒樋支持部４と、建物の鼻隠し板に固着具により取り付けるための貫通孔が設けられた固定部３とを備えたポリカーボネート樹脂製の軒樋支持具１において、貫通孔には、耐アルカリ性の材料で形成された筒状体７であって、鼻隠し板２の側に位置する後端部の内径が前端部の内径よりも所定長大きく形成されたものが嵌着されていることを特徴とする。【選択図】図１
2011149228.tif 000002
【特許請求の範囲】
【請求項１】
軒樋を支持する軒樋支持部と、建物の鼻隠し板に固着具により取り付けるための貫通孔が設けられた固定部とを備えたポリカーボネート樹脂製の軒樋支持具において、
前記貫通孔には、耐アルカリ性の材料で形成された筒状体であって、前記鼻隠し板の側に位置する後端部の内径が前端部の内径よりも所定長大きく形成されたものが嵌着されていることを特徴とする軒樋支持具。
【請求項２】
請求項１に記載の軒樋支持具において、
前記筒状体の前記後端部の内孔の形状は、前記後端部から前記前端部に向けて漸次小径となるテーパ状に形成されていることを特徴とする軒樋支持具。
【請求項３】
請求項１又は２に記載の軒樋支持具が建物の鼻隠し板に螺子止め手段により固定され、
前記筒状体の前記後端部が前記鼻隠し板内に食い込んで固定されていることを特徴とする軒樋支持具の取付構造。
【発明の詳細な説明】
【技術分野】
【０００１】
本発明は、家屋の軒先に軒樋を設置するための軒樋支持具及び軒樋支持具の取付構造に関する。
【背景技術】
【０００２】
一般に、家屋の軒先に軒樋を設置する場合には、軒樋を建物側に支持、固定するための軒樋支持具を建物の鼻隠し板に固定し、この軒樋支持具に軒樋を吊下するようにしている。
この場合に用いる軒樋支持具としては、耐腐蝕性、耐衝撃性、難燃性等の観点から、ポリカーボネート樹脂により形成されたものが広く用いられている。
【０００３】
しかしながら、軒樋支持具を固定する建物の鼻隠し板がセメント系の材料により形成されている場合には、ポリカーボネート成形品がセメント系材料のアルカリ成分の影響を受けることから、ポリカーボネート樹脂製の軒樋支持具が鼻隠し板のアルカリ成分と接触し続けることによって、当該軒樋支持具にクラックが生じるという問題があった。
【０００４】
そこで、ポリカーボネート樹脂製の軒樋支持具をセメント系の材料により形成された鼻隠し板に設置する場合を考慮したものとして、従来、下記特許文献１に記載された軒樋支持具が提案されている。
【０００５】
図５は、特許文献１に示す軒樋支持具１００によって軒樋１０１を鼻隠し板１０２に設置した状態を示しており、図６は、軒樋支持具１００の鼻隠し板１０２への取り付け部分を拡大して示したものである。
【０００６】
軒樋支持具１００は、鼻隠し板１０２への固定を行う固定部１０３と、鼻隠し板１０２側から軒先方向に延出した軒樋支持部１０４とにより構成されている。
固定部１０３は平板状に形成されており、その厚み方向に図６に示す挿通孔１０７、１０７が形成されたものである。
【０００７】
軒樋支持部１０４は、その基端側と先端側とに係止部１０５ａ、１０５ｂ、１０５ｃとが形成されたものである。
【０００８】
固定部１０３を鼻隠し板１０２へ固定する際には、筒状体１０８が用いられる。
筒状体１０８は、図７に示すように、貫通孔１０９を有する胴部１１０と、胴部１１０の鼻隠し板当接側の端部に形成されたフランジ部１１１と、胴部１１０の先端部に互いに間隔をおいて形成された複数の係止突起１１２、１１２・・とからなるものである。この筒状体１０８は、ＰＥＴ等の耐アルカリ性樹脂により形成されたものである。
【０００９】
この構成において、固定部１０３は、図６に示すように、挿通孔１０７に筒状体１０８を嵌着させた上で、筒状体１０８のフランジ部１１１を鼻隠し板１０２の壁面に当接させ、螺子１１３を筒状体１０８の貫通孔１０９に挿通し、螺子１１３の先端部側を鼻隠し板１０２の壁部に捻じ込んで固定されている。
【００１０】
一方、図５に示すように、軒樋支持部１０４は、係止部１０５ａ、１０５ｂ、１０５ｃに、軒樋１０１に形成された係止条部１１４ａ、１１４ｂ、１１４ｃを係止させて軒樋１０１を保持している。
【００１１】
このようにして、軒樋支持具１００を鼻隠し板１０２に固定することにより、筒状体１０８がポリカーボネート製の固定部１０３とアルカリ性成分を含有する鼻隠し板１０２との間に介在し、セメント系材料のアルカリ性成分がポリカーボネートに移行しないように構成されている。
【先行技術文献】
【特許文献】
【００１２】
【特許文献１】特開２００７−１００４８０号公報
【発明の概要】
【発明が解決しようとする課題】
【００１３】
しかしながら、上記の軒樋支持具１００においては、螺子１１３を鼻隠し板１０２に螺入した際に生じる切粉が螺子１１３と筒状体１０８との間の隙間を通して外部へ送り出されるが、この際、前記隙間が狭隘であるため、切粉による目詰まりを生じるおそれがあり、この場合に、螺子１１３を鼻隠し板１０２に所望の深さまで螺入できなくなって固定部１０３を鼻隠し板１０２に確実に固定できないという問題があった。
【００１４】
また、筒状体１０８における胴部１１０の先端開口部は、図７に示すように係止突起１１２、１１２間が外部に開放されているため、この開放された部分から前記切粉が外部へ排出されるおそれがあり、特にこの部分から雨水が胴部１１０の内部に浸入した場合には、胴部１１０の奥部に溜まっていた切粉が外部に排出され、これが固定部１０３に付着して該固定部１０３にクラックを生じさせてしまうという問題があった。
【課題を解決するための手段】
【００１５】
そこで、本発明は、上記課題を解決するために以下の手段を提供している。
請求項１の発明は、軒樋を支持する軒樋支持部と、建物の鼻隠し板に固着具により取り付けるための貫通孔が設けられた固定部とを備えたポリカーボネート樹脂製の軒樋支持具において、前記貫通孔には、耐アルカリ性の材料で形成された筒状体であって、前記鼻隠し板の側に位置する後端部の内径が前端部の内径よりも所定長大きく形成されたものが嵌着されていることを特徴とする。
【００１６】
請求項２の発明は、前記筒状体の前記後端部の内孔の形状は、前記後端部から前記前端部に向けて漸次小径となるテーパ状に形成されていることを特徴とする。
【００１７】
請求項３の発明は、請求項１又は２に記載の軒樋支持具が建物の鼻隠し板に螺子止め手段により固定され、前記筒状体の前記後端部が前記鼻隠し板内に食い込んで固定されていることを特徴とする。
【発明の効果】
【００１８】
本発明の係る軒樋支持具及び軒樋支持具の取付構造によれば、上記した解決手段によって下記の効果を奏する。
すなわち、請求項１に係る軒樋支持具によれば、筒状体の鼻隠し板の側に位置する後端部に固着具との間に空間部が形成され、該空間部に切粉を溜めることができるので、固着具を筒状体の貫通孔に挿入して固定部を鼻隠し板へ固定する際に、固着具が挿通される筒状体の挿通孔において切粉による目詰まりを起こすことを回避することができ、固着具を鼻隠し板側に深く螺入し軒樋支持具をしっかりと固定できるという効果を奏する。
【００１９】
また、請求項２に係る軒樋支持具によれば、筒状体に形成された空間部が、鼻隠し板の側に位置する後端部の端面から該筒状体の前端方向に漸次小径となるテーパ状に形成されているため、空間部に溜まった切粉を筒状体の前方へ導出し易くなるという効果を奏する。
【００２０】
また更に、請求項３に係る軒樋支持具の取付構造によれば、筒状体の鼻隠し板の側に位置する後端部が建物の鼻隠し板内に食い込んで固定されているため、筒状体の鼻隠し板の側に位置する後端部と鼻隠し板との僅かな隙間から切粉が漏れ出ることを防止することができ、軒樋支持具への切粉の付着を防止し得てクラックの発生をより確実に回避することが出来るという効果を奏する。
【図面の簡単な説明】
【００２１】
【図１】は、本発明の一実施形態として示した軒樋支持具の設置状態を示した一部断面視した側面図である。
【図２】は、図１に示す軒樋支持具のＡ線視図である。
【図３】は、図１の要部の拡大図である。
【図４】は、本発明の別の実施形態として示した軒樋支持具の要部の拡大断面図である。
【図５】は、従来の軒樋支持具の側面図である。
【図６】は、図５の要部拡大図である。
【図７】は、図５、図６に示す軒樋支持具における筒状体の斜視図である。
【発明を実施するための形態】
【００２２】
以下、図を参照して本発明の実施形態について説明する。
図１は、本発明の一実際形態として示した軒樋支持具１の設置状態を示す図であり、図２は、固定部の背面拡大図であり、図３は、軒樋支持具１の要部の拡大図である。
【００２３】
図１に示すように、軒樋支持具１は、建物の鼻隠し板２に固定部３を固定し、該固定部３から軒先方向に向かって延出した軒樋支持部４に軒樋５を吊下させて用いられるものである。
【００２４】
固定部３は、図２に示すように、板面が略Ｔ字状に延在する板状体であり、左右に延在する板面上部の両端側及び該板面上部の幅方向中央部から下方に延在する板面下部の下端側には、貫通孔６、６・・が形成されている。
貫通孔６は、図２、図３に示すように、断面円形に形成された小径部６ａと大径部６ｂとからなっている。小径部６ａ及び大径部６ｂは、共に固定部３の厚み方向、すなわち板面に対して垂直な軸線Ｌ方向に延在している。
【００２５】
固定部３の貫通孔６内には、筒状体７が嵌着されている。
筒状体７は、前端部に形成された胴部８と鼻隠し板の側に位置する後端部に形成されたフランジ部９により構成されている。
【００２６】
筒状体７の胴部８は、固定部３の貫通孔６を形成する小径部６ａに密に嵌合する断面外形寸法を有しており、その軸線Ｌ方向の寸法は、小径部６ａの長さ寸法よりも僅かに大寸法とされている。また、胴部８の挿通孔１１の径寸法は、螺子１０よりも僅かに大寸法とされている。
【００２７】
また、フランジ部９は、貫通孔６の大径部６ｂに密に嵌合する断面外形寸法を有しており、その軸線Ｌ方向の寸法は、大径部６ｂよりも僅かに大寸法とされている。
フランジ部９の内径は、胴部８の挿通孔１１の径よりも、１ｍｍ〜５ｍｍ大きくなるよう形成されている。その結果、フランジ部９の内部には空間部１２が形成されている。
【００２８】
この空間部１２は、筒状体７に螺子１０を挿通して鼻隠し板２に固定する際にフランジ部９の内壁面と螺子１０との間に形成される隙間であって、鼻隠し板２から生成される切粉の切粉溜りを構成するものであり、胴部８の挿通孔１１に連通している。
【００２９】
また、この筒状体７のフランジ部９は、空間部１２を囲繞する環状の壁部となっているが、この環状の壁部は、外方に張り出した後、鼻隠し板２に向けて突出し、稜線部７ａを有する尖鋭な形状とされている。
【００３０】
この構成において、固定部３の背面側から筒状体７を貫通孔６内に挿通すると、胴部８が貫通孔６の小径部６ａに嵌合し、フランジ部９が大径部６ｂに嵌合した状態において、胴部８の前端部が固定部３の上面から僅かに突出し、フランジ部９の後端部が固定部３の背面から僅かに突出する。
【００３１】
固定部３を鼻隠し板２側に固定する螺子１０には、固定部３の貫通孔６を貫通し、鼻隠し板２内に深く螺入して軒樋支持具１を強固に固定できる程度の長さ寸法を有し、かつ、螺子頭部１０ａが、連続した環状の面となるよう形成された胴部８の前端開口面１３全体を覆って被冠できる大きさを有するものが用いられる。
【００３２】
筒状体７の胴部８の前端部の外周には、リング１４が嵌着される。このリング１４の厚み寸法は、筒状体７の前端部が貫通孔６から突出する寸法と同寸法とされ、また、リング１４の内径寸法は、胴部８に固く嵌合し得るよう胴部８の外形寸法と略同寸法とされている。
【００３３】
図１に示す前記軒樋支持部４は、固定部３の幅方向中央部から軒先に向かって延出した腕部４ａの基端側４ｂと先端側４ｃに、それぞれ係止部１５ａ、１５ｂが形成されたものである。
【００３４】
固定部３及び軒樋支持部４の材質としては、ポリカーボネート樹脂が用いられ、筒状体７及びリング１４には、ステンレス等の金属、又は剛性が高く耐アルカリ性を有する樹脂が用いられている。
【００３５】
上記の構成を有する軒樋支持具１は、次のようにして鼻隠し板２に設置される。
まず、図３に示すように固定部３の貫通孔６の全てに、固定部３の背面から筒状体７を嵌着させて胴部８の前端部を前方へ突出させ、胴部８の前端部の外周にリング１４を嵌着する。
この状態で、軒樋支持具１を鼻隠し板２の所定の場所に位置させ、筒状体７それぞれの挿通孔１１に螺子１０を挿通し、鼻隠し板２に螺入していく。
【００３６】
ここで、螺子１０を鼻隠し板２に螺入した場合には、螺子１０が鼻隠し板２を切削することによって鼻隠し板２の切粉が生成され、この切粉が螺子１０の螺子山に案内されて筒状体７方向に送り出される。この切粉は、鼻隠し板２の素材がセメント系のものである場合に、軒樋支持具１の固定部３に接触するように排出させると、固定部３にクラックを生じさせるものである。
【００３７】
この軒樋支持具１においては、螺子１０の螺入によって生じた切粉はほとんどが空間部１２下方に溜り、空間部１２に溜まり切らなかった僅かな切粉又は螺子の回動により運ばれたものが挿通孔１１の内面と螺子１０との間の隙間を通って筒状体７の前端方向に送り出され、胴部８の前端開口部から外部へ排出される。
【００３８】
また、挿通孔１１の内面と螺子１０との間に僅かでも切粉の目詰まりが生じた場合には、生成される切粉が空間部１２の上方に拡散する等して、目詰まりの生じた部分に更に切粉が供給されることが回避される。
【００３９】
したがって、切粉の目詰まりが生じた場合にも、目詰まりが軽微な状態で切粉が螺子１０の螺子山に案内されて筒状体７の前端開口部から順次排出されるため、螺子１０の螺入操作に支障をきたすことがない。
【００４０】
螺子１０が一定寸法鼻隠し板２に螺入されると、螺子１０の頭部１０ａが筒状体７の胴部８を押圧し、これによって筒状体７のフランジ部９の後端面が鼻隠し板２の表面に食い込み、所定寸法鼻隠し板２の内部に侵入する。
【００４１】
この場合、筒状体７のフランジ部９の後端面は、稜線部７ａを有する尖鋭な形状とされているので、鼻隠し板２がセメント系材料による堅固な構造であっても、この鼻隠し板２に確実に食い込むことになる。
【００４２】
螺子１０の螺入操作において、筒状体７が未だ定められた固定位置に至らない時点では、螺子１０の頭部１０ａと胴部８の前端開口面１３との間には隙間が生じているので、鼻隠し板２側で生成され螺子１０の回動により運ばれた切粉がその隙間から外部へ排出される。しかし、筒状体７が定められた固定位置、すなわち固定部３と鼻隠し板２との間を１ｍｍ〜２ｍｍ程度の隙間を残した位置に至った時には、螺子１０の頭部１０ａが胴部８の前端開口面１３の全体に隙間なく当接して挿通孔１１を密閉し、かつリング１４を固定部３の表面に密着させる。この場合、リング１４は、固定部３と螺子１０の頭部１０ａとに密に当接して位置し、固定部３、筒状体７、及び螺子１０の相対位置を規制する。
【００４３】
したがって、筒状体７を介して螺子１０による固定部３の固定が完了した時点では、筒状体７内の切粉が外部に排出することはない。
【００４４】
全ての貫通孔６において螺子止めが完了すると、軒樋支持具１の鼻隠し板２への設置が完了する。
この要領で軒樋支持具１を軒樋５の長さに合わせて所定間隔を置いて固定した後に、軒樋５の係合条部２０ａ、２０ｂを各軒樋支持具１の係止部１５ａ、１５ｂに係止させていき、軒樋５を設置する。
【００４５】
本発明による軒樋支持具１は、上記のように鼻隠し板２に設置することにより、筒状体７の鼻隠し板２側に位置する後端部、すなわちフランジ部９の内方に形成された空間部１２に鼻隠し板２の切粉を溜めることができるので、螺子１０が挿通される胴部８の挿通孔１１に送り出される切粉が少量で済み、切粉による目詰まりを起こしにくくすることができる。したがって、螺子１０を鼻隠し板２側に深く螺入し、軒樋支持具１をしっかりと鼻隠し板２に固定することができるという効果が得られる。
【００４６】
また、筒状体７のフランジ部９の後端部が鼻隠し板２内に食い込んで固定されているため、螺子１０と共に強固に軒樋支持具１を支持でき、かつ、筒状体７と鼻隠し板２との間に隙間が形成されることを防止し、切粉が漏れ出ることを回避することができるため、切粉が軒樋支持具１に付着することによるクラックの発生をより確実に回避することが出来るという効果が得られる。
【００４７】
上記の実施形態においては、筒状体７に形成する空間部１２の壁面を挿通孔１１の軸線Ｌに対し、同一径の壁部としたが、図４に示すように、筒状体７のフランジ部９の後端から該筒状体７の前端側に向かって漸次縮径するテーパ形状としてもよい。
このように、テーパ形状とすることで、螺子１０の鼻隠し板２への螺入時に切粉が順次胴部８の前端開口面１３側へ導出されやすくなり、螺子１０を螺入する場合に発生する切粉により、空間部１２及び胴部８の挿通孔１１に詰まって十分に螺入できなくなることを回避することができるという効果が得られる。
【符号の説明】
【００４８】
１    軒樋支持具
２    鼻隠し板
３    固定部
４    軒樋支持部
５    軒樋
６    貫通孔
７    筒状体
８    胴部（前端部）
９    フランジ部（鼻隠し板の側に位置する後端部）
１０  螺子（固着具）
１１  挿通孔
１２  空間部
Ｌ    軸線
【図１】
2011149228.tif 000003
【図２】
2011149228.tif 000004
【図３】
2011149228.tif 000005
【図４】
2011149228.tif 000006
【図５】
2011149228.tif 000007
【図６】
2011149228.tif 000008
【図７】
2011149228.tif 000009